【手続補正書】
【提出日】平成29年11月6日(2017.11.6)
【手続補正１】
【補正対象書類名】特許請求の範囲
【補正対象項目名】全文
【補正方法】変更
【補正の内容】
【特許請求の範囲】
【請求項１】
コンピューティングデバイスが、前記コンピューティングデバイスに関連付けられている画面の表示可能領域におけるコンテンツレイアウトのための特定のコンテンツを求める要求をオペレーティングシステムから受信する工程であって、前記特定のコンテンツは、特定のタイプの表示オブジェクトに含まれることができる、受信する工程と、
前記コンピューティングデバイスが、アプリケーションに関連付けられている第１のリサイクラーに関連付けられている所定のアプリケーションに適合したリサイクルポリシーにストレージデバイスからアクセスする工程であって、と、前記アプリケーションに適合したリサイクルポリシーは、前記第１のリサイクラーに保持する表示オブジェクトの個数、前記第１のリサイクラーに記憶する表示オブジェクトのタイプ、前記第１のリサイクラー内の表示オブジェクトが再使用またはリサイクルに適切であるか否かの判定方法、および、前記第１のリサイクラー内の表示オブジェクトの再使用またはリサイクルの時期の１以上を管理する、アクセスする工程と、
前記コンピューティングデバイスが、アプリケーションに適合したリサイクルポリシーに基づいて、前記アプリケーションに関連付けられている第１のリサイクラーが前記特定のコンテンツを含むためにリサイクルまたは再使用に適切である表示オブジェクトを含むことを判定する工程であって、前記表示オブジェクトは、前記特定のタイプの表示オブジェクトである場合、リサイクルまたは再使用に適切である、判定する工程と、
前記コンピューティングデバイスが、前記表示オブジェクトが前記特定のコンテンツを含んでいるか否かを判定する工程と、
前記コンピューティングデバイスが、前記表示オブジェクトが前記特定のコンテンツを含まないと判定すると、前記特定のコンテンツで前記表示オブジェクトを埋める工程と、
前記コンピューティングデバイスが、ラッパーオブジェクトの中に前記表示オブジェクトと１以上の追加の表示オブジェクトとをカプセル化する工程と、
前記コンピューティングデバイスが、前記表示オブジェクトと前記１以上の追加の表示オブジェクトとをカプセル化する前記ラッパーオブジェクトを前記オペレーティングシステムに表示のために戻す工程と、
前記コンピューティングデバイスが、前記表示オブジェクトが前記表示可能領域における前記コンテンツレイアウトのために必要でなくなったことを示す標識を受信する工程と、
前記コンピューティングデバイスが、前記表示オブジェクトを前記ラッパーオブジェク
トから抽出する工程と、
前記コンピューティングデバイスが、前記表示オブジェクトを前記アプリケーションに関連付けられている前記第１のリサイクラーに記憶する工程と、
前記コンピューティングデバイスが、前記ラッパーオブジェクトを前記オペレーティングシステムに関連付けられている第２のリサイクラーに前記表示オブジェクトなしで記憶する工程と、方法。
【請求項２】
前記アプリケーションに適合したリサイクルポリシーは、アプリケーション固有のリサイクルポリシー、デバイス固有のリサイクルポリシー、またはユーザ固有のリサイクルポリシーを含む、請求項１に記載の方法。
【請求項３】
前記表示オブジェクトは、前記コンテンツレイアウトにおける前記特定のコンテンツの位置、コンテンツの識別子、前記特定のコンテンツに基づいて生成されるハッシュキー、または前記特定のコンテンツに関係するアクティビティのタイムスタンプを含む、取り出しキーと関連付けて前記第１のリサイクラーに記憶される、請求項１に記載の方法。
【請求項４】
前記特定のコンテンツは、ソーシャルネットワーキング情報を含み、前記表示オブジェクトは、前記特定のコンテンツが関係するソーシャル・グラフにおける１以上の要素に関連付けられている識別子を含む取り出しキーと関連付けて前記第１のリサイクラーに記憶される、請求項１に記載の方法。
【請求項５】
ソフトウェアを具現化する１以上の非一時的コンピュータ可読記憶媒体であって、実行されたとき、
画面の表示可能領域におけるコンテンツレイアウトのための特定のコンテンツを求める要求をオペレーティングシステムから受信する工程であって、前記特定のコンテンツは、特定のタイプの表示オブジェクトに含まれることができる、受信する工程と、
アプリケーションに関連付けられている第１のリサイクラーに関連付けられている所定のアプリケーションに適合したリサイクルポリシーにストレージデバイスからアクセスする工程であって、と、前記アプリケーションに適合したリサイクルポリシーは、前記第１のリサイクラーに保持する表示オブジェクトの個数、前記第１のリサイクラーに記憶する表示オブジェクトのタイプ、前記第１のリサイクラー内の表示オブジェクトが再使用またはリサイクルに適切であるか否かの判定方法、および、前記第１のリサイクラー内の表示オブジェクトの再使用またはリサイクルの時期の１以上を管理する、アクセスする工程と、
アプリケーションに適合したリサイクルポリシーに基づいて、前記アプリケーションに関連付けられている第１のリサイクラーが前記特定のコンテンツを含むためにリサイクルまたは再使用に適切である表示オブジェクトを含むことを判定する工程であって、前記表示オブジェクトは、前記特定のタイプの表示オブジェクトである場合、リサイクルまたは再使用に適切である、判定する工程と、
前記表示オブジェクトが前記特定のコンテンツを含んでいるか否かを判定する工程と、
前記表示オブジェクトが前記特定のコンテンツを含まないと判定すると、前記特定のコンテンツで前記表示オブジェクトを埋める工程と、
ラッパーオブジェクトの中に前記表示オブジェクトと１以上の追加の表示オブジェクトとをカプセル化する工程と、
前記表示オブジェクトと前記１以上の追加の表示オブジェクトとをカプセル化する前記ラッパーオブジェクトを前記オペレーティングシステムに表示のために戻す工程と、
前記表示オブジェクトが前記表示可能領域における前記コンテンツレイアウトのために必要でなくなったことを示す標識を受信する工程と、
前記表示オブジェクトを前記ラッパーオブジェクトから抽出する工程と、
前記表示オブジェクトを前記アプリケーションに関連付けられている前記第１のリサイ
クラーに記憶する工程と、
前記ラッパーオブジェクトを前記オペレーティングシステムに関連付けられている第２のリサイクラーに前記表示オブジェクトなしで記憶する工程と、が行われるように構成される、媒体。
【請求項６】
前記アプリケーションに適合したリサイクルポリシーは、アプリケーション固有のリサイクルポリシー、デバイス固有のリサイクルポリシー、またはユーザ固有のリサイクルポリシーを含む、請求項５に記載の媒体。
【請求項７】
前記表示オブジェクトは、前記コンテンツレイアウトにおける前記特定のコンテンツの位置、コンテンツの識別子、前記特定のコンテンツに基づいて生成されるハッシュキー、または前記特定のコンテンツに関係するアクティビティのタイムスタンプを含む、取り出しキーと関連付けて前記第１のリサイクラーに記憶される、請求項５に記載の媒体。
【請求項８】
前記特定のコンテンツは、ソーシャルネットワーキング情報を含み、前記表示オブジェクトは、前記特定のコンテンツが関係するソーシャル・グラフにおける１以上の要素に関連付けられている識別子を含む取り出しキーと関連付けて前記第１のリサイクラーに記憶される、請求項５に記載の媒体。
【請求項９】
システムであって、
１以上のプロセッサと、
前記プロセッサに結合され、前記プロセッサによって実行可能な命令を含むメモリと、を備え、前記プロセッサは、前記命令を実行したとき、
画面の表示可能領域におけるコンテンツレイアウトのための特定のコンテンツを求める要求をオペレーティングシステムから受信する工程であって、前記特定のコンテンツは、特定のタイプの表示オブジェクトに含まれることができる、受信する工程と、
アプリケーションに関連付けられている第１のリサイクラーに関連付けられている所定のアプリケーションに適合したリサイクルポリシーにストレージデバイスからアクセスする工程であって、と、前記アプリケーションに適合したリサイクルポリシーは、前記第１のリサイクラーに保持する表示オブジェクトの個数、前記第１のリサイクラーに記憶する表示オブジェクトのタイプ、前記第１のリサイクラー内の表示オブジェクトが再使用またはリサイクルに適切であるか否かの判定方法、および、前記第１のリサイクラー内の表示オブジェクトの再使用またはリサイクルの時期の１以上を管理する、アクセスする工程と、
アプリケーションに適合したリサイクルポリシーに基づいて、前記アプリケーションに関連付けられている第１のリサイクラーが前記特定のコンテンツを含むためにリサイクルまたは再使用に適切である表示オブジェクトを含むことを判定する工程であって、前記表示オブジェクトは、前記特定のタイプの表示オブジェクトである場合、リサイクルまたは再使用に適切である、判定する工程と、
前記表示オブジェクトが前記特定のコンテンツを含んでいるか否かを判定する工程と、
前記表示オブジェクトが前記特定のコンテンツを含まないと判定すると、前記特定のコンテンツで前記表示オブジェクトを埋める工程と、
ラッパーオブジェクトの中に前記表示オブジェクトと１以上の追加の表示オブジェクトとをカプセル化する工程と、
前記表示オブジェクトと前記１以上の追加の表示オブジェクトとをカプセル化する前記ラッパーオブジェクトを前記オペレーティングシステムに表示のために戻す工程と、
前記表示オブジェクトが前記表示可能領域における前記コンテンツレイアウトのために必要でなくなったことを示す標識を受信する工程と、
前記表示オブジェクトを前記ラッパーオブジェクトから抽出する工程と、
前記表示オブジェクトを前記アプリケーションに関連付けられている前記第１のリサイ
クラーに記憶する工程と、
前記ラッパーオブジェクトを前記オペレーティングシステムに関連付けられている第２のリサイクラーに前記表示オブジェクトなしで記憶する工程と、が行われるように構成される、システム。
【請求項１０】
前記アプリケーションに適合したリサイクルポリシーは、アプリケーション固有のリサイクルポリシー、デバイス固有のリサイクルポリシー、またはユーザ固有のリサイクルポリシーを含む、請求項９に記載のシステム。
【請求項１１】
前記表示オブジェクトは、前記コンテンツレイアウトにおける前記特定のコンテンツの位置、コンテンツの識別子、前記特定のコンテンツに基づいて生成されるハッシュキー、または前記特定のコンテンツに関係するアクティビティのタイムスタンプを含む、取り出しキーと関連付けて前記第１のリサイクラーに記憶される、請求項９に記載のシステム。
【請求項１２】
前記特定のコンテンツは、ソーシャルネットワーキング情報を含み、前記表示オブジェクトは、前記特定のコンテンツが関係するソーシャル・グラフにおける１以上の要素に関連付けられている識別子を含む取り出しキーと関連付けて前記第１のリサイクラーに記憶される、請求項９に記載のシステム。